(57)【要約】      （修正有）【課題】無機層を含むセパレータをターン部で折り返した折り返し部を有する蓄電素子であって、ターン部の外側において無機層が剥がれ難い蓄電素子の提供。【解決手段】長尺状の第一の電極２１と、第一の電極と長尺方向を揃えた状態で第一の電極に重ねられた長尺状のセパレータ２２とをターン部２３４で折り返した折り返し部２３を有する電極体を備え、セパレータは、ターン部を構成し且つ第一の電極の内側に重ねられた第一部位２２４と、ターン部を構成し且つ第一の電極の外側に重ねられた第二部位２２５とを有し、第一部位は、基材層２２１と無機酸化物を含有する無機層２２２とを有し、第二部位は、基材層と無機酸化物とのうち少なくとも基材層を有し、第二部位の基材層は、ターン部の外側に向けて露出している、蓄電素子。【選択図】図１０
2019117703.tif 000002
【特許請求の範囲】
【請求項１】
長尺状の第一の電極と、該第一の電極と長尺方向を揃えた状態で該第一の電極に重ねられた長尺状のセパレータとをターン部で折り返した折り返し部を有する電極体を備え、
前記セパレータは、前記ターン部を構成し且つ前記第一の電極の内側に重ねられた第一部位と、前記ターン部を構成し且つ前記第一の電極の外側に重ねられた第二部位とを有し、
前記第一部位は、基材層と無機酸化物を含有する無機層とを有し、
前記第二部位は、前記基材層と前記無機酸化物とのうち少なくとも前記基材層を有し、
前記第二部位の前記基材層は、前記ターン部の外側に向けて露出している、蓄電素子。
【請求項２】
前記電極体は、前記折り返し部の外側に配置され且つ前記第一の電極と極性の異なる第二の電極を有し、
前記折り返し部は、前記ターン部の端縁から第一方向にそれぞれ延びる一対の延在部を有すると共に、該一対の延在部の延びる方向を揃えた状態で前記一対の延在部が並ぶ方向に複数並んで設けられ、
前記第一の電極は、前記一対の延在部をそれぞれ構成する電極延在部を有し、
前記セパレータは、前記延在部を構成し且つ前記電極延在部及び前記第二の電極に挟まれる第三部位を有し、
前記第三部位は、前記基材層及び前記無機層の両方を有し、
前記第三部位の前記基材層は、該第三部位の全域において前記第一方向に延び、
前記第三部位の前記無機層は、該第三部位の全域において前記第一方向に延びる、請求項１に記載の蓄電素子。
【請求項３】
長尺状のセパレータをターン部で折り返した折り返し部を有すると共に、該折り返し部の内側に配置される第一の電極と、前記折り返し部の外側に配置され且つ前記第一の電極と極性の異なる第二の電極とを有する電極体を備え、
前記セパレータは、基材層と無機酸化物を含有する無機層とを有し、
前記ターン部の前記基材層は、前記ターン部の外側に向けて露出している、蓄電素子。
【請求項４】
前記折り返し部は、前記ターン部の端縁から第一方向にそれぞれ延びる一対の延在部を有すると共に、該一対の延在部の延びる方向を揃えた状態で前記一対の延在部が並ぶ方向に複数並んで設けられ、
前記延在部の前記基材層は、該延在部の全域において前記第一方向に延び、
前記延在部の前記無機層は、該延在部の全域において前記第一方向に延びる、請求項３に記載の蓄電素子。
【発明の詳細な説明】
【技術分野】
【０００１】
本発明は、電極とセパレータとを有する電極体を備えた蓄電素子に関する。
【背景技術】
【０００２】
従来、正極及び負極の一方が蛇腹状に折り畳まれて積層されているリチウムイオン二次電池（以下、単に「電池」と称する）が知られている（例えば、特許文献１参照）。具体的に、この電池は、図１６に示すように、負極・セパレータ圧着体１２１と正極１２２とを組み合わせて、これを蛇腹状に折り畳んで構成された電極体１０２を備える。
【０００３】
負極・セパレータ圧着体１２１は、帯状に連続する一対のセパレータ１２３の間に、負極を基材とする帯状の負極体１２４を圧着して構成されており、全体として帯状に連続している。正極１２２は、複数の短冊状の金属箔を正極リードにより連結して構成されている。正極１２２は、正極１２２の厚み方向で、負極・セパレータ圧着体１２１と対向している。
【０００４】
前記電極体１０２を製造する際には、まず、基材表面にセラミック層を有するセパレータ１２３を一対準備し、このセパレータ１２３の間に帯状の負極体１２４を配置して、これらをプレス等により圧着することで、負極・セパレータ圧着体１２１を形成する。さらに、負極・セパレータ圧着体１２１に折り目を形成し、負極・セパレータ圧着体１２１に正極１２２を挿入した後、これを折り目に沿って折り畳むことで前記電極体１０２が製造される。
【先行技術文献】
【特許文献】
【０００５】
【特許文献１】特開２０１３−２２２６０２号公報
【発明の概要】
【発明が解決しようとする課題】
【０００６】
ところで、前記電極体１０２を備えた電池では、正極１２２や負極体１２４が膨張すると、この膨張に起因する圧力が、負極・セパレータ圧着体１２１の折り目周辺にかかり、セパレータ１２３の基材からセラミック層が剥がれ落ちることがある。特に、負極・セパレータ圧着体１２１の折り目の外側（山折り面側）でセラミック層が剥がれ落ちると、電極体１０２の周辺にこのセラミック層が付着するおそれがあった。セラミック層が電極体周囲に付着した場合は挿入時に不良率上昇につながるおそれがあった。
【０００７】
そこで、本実施形態は、無機層を含むセパレータをターン部で折り返した折り返し部を有する蓄電素子であって、ターン部の外側において無機層が剥がれ難い蓄電素子を提供することを目的とする。
【課題を解決するための手段】
【０００８】
本実施形態の蓄電素子は、
長尺状の第一の電極と該第一の電極と長尺方向を揃えた状態で該第一の電極に重ねられた長尺状のセパレータとをターン部で折り返した折り返し部を有する電極体を備え、
前記セパレータは、前記ターン部を構成し且つ前記第一の電極の内側に重ねられた第一部位と、前記ターン部を構成し且つ前記第一の電極の外側に重ねられた第二部位とを有し、
前記第一部位は、基材層と無機酸化物を含有する無機層とを有し、
前記第二部位は、前記基材層と前記無機層とのうち少なくとも前記基材層を有し、
前記第二部位の前記基材層は、前記ターン部の外側に向けて露出している。
【０００９】
かかる構成によれば、第二部位の外側の少なくとも一部では、無機層がなく、基材層がターン部の外側に向けて露出しているため、ターン部の外側において無機層の剥がれを抑えることができる。
【００１０】
前記蓄電素子では、
前記電極体は、前記折り返し部の外側に配置され且つ前記第一の電極と極性の異なる第二の電極を有し、
前記折り返し部は、前記ターン部の端縁から第一方向にそれぞれ延びる一対の延在部を有すると共に、該一対の延在部の延びる方向を揃えた状態で前記一対の延在部が並ぶ方向に複数並んで設けられ、
前記第一の電極は、前記一対の延在部をそれぞれ構成する電極延在部を有し、
前記セパレータは、前記延在部を構成し且つ前記電極延在部及び前記第二の電極に挟まれる第三部位を有し、
前記第三部位は、前記基材層及び前記無機層の両方を有し、
前記第三部位の前記基材層は、該第三部位の全域において前記第一方向に延び、
前記第三部位の前記無機層は、該第三部位の全域において前記第一方向に延びてもよい。
【００１１】
かかる構成によれば、無機層が第三部位の全域に存在することにより、第三部位に無機層の段差が存在しないため、蓄電素子に圧力がかかっても、このような段差に圧力が集中することがなく、第二の電極にかかる圧力は第一方向の全域において均一になる。
【００１２】
別の実施形態の蓄電素子は、
長尺状のセパレータをターン部で折り返した折り返し部を有すると共に、該折り返し部の内側に配置される第一の電極と、前記折り返し部の外側に配置され且つ前記第一の電極と極性の異なる第二の電極とを有する電極体を備え、
前記セパレータは、基材層と無機酸化物を含有する無機層とを有し、
前記ターン部では、前記基材層が前記ターン部の外側に向けて露出している。
【００１３】
かかる構成によれば、ターン部の外側の少なくとも一部には無機層がなく、基材層がターン部の外側に向けて露出しているため、ターン部の外側において無機層の剥がれを抑えることができる。
【００１４】
前記蓄電素子では、
前記折り返し部は、前記ターン部の端縁から第一方向にそれぞれ延びる一対の延在部を有すると共に、該一対の延在部の延びる方向を揃えた状態で前記一対の延在部が並ぶ方向に複数並んで設けられ、
前記延在部の前記基材層は、該延在部の全域において前記第一方向に延び、
前記延在部の前記無機層は、該延在部の全域において前記第一方向に延びてもよい。
【００１５】
かかる構成によれば、無機層が延在部の全域に存在することにより、延在部に無機層の段差が存在しないため、蓄電素子に圧力がかかっても、このような段差に圧力が集中することがなく、第二の電極にかかる圧力は第一方向の全域において均一になる。
【発明の効果】
【００１６】
本実施形態の蓄電素子によれば、無機層を含むセパレータをターン部で折り返した折り返し部を有する蓄電素子であって、ターン部の外側において無機層が剥がれ難い蓄電素子を提供することができる。
【図面の簡単な説明】
【００１７】
【図１】図１は、本実施形態に係る蓄電素子の斜視図である。
【図２】図２は、前記蓄電素子の分解斜視図である。
【図３】図３は、図１のＩＩＩ−ＩＩＩ位置における断面図である。
【図４】図４は、電極体を説明するための断面図である。
【図５】図５は、電極体を説明するための斜視図である。
【図６】図６は、負極の構成を説明するための図である。
【図７】図７は、セパレータの構成を説明するための図である。
【図８】図８は、つづら折り状態の負極及びセパレータの構成を説明するための斜視図である。
【図９】図９は、折り返し部を説明するための斜視図である。
【図１０】図１０は、電極体のターン部を説明するための断面模式図である。
【図１１】図１１は、正極の構成を説明するための図である。
【図１２】図１２は、他実施形態に係る電極体を説明するための斜視図である。
【図１３】図１３は、他実施形態に係る電極体のターン部を説明するための断面模式図である。
【図１４】図１４は、他実施形態に係る電極体のターン部を説明するための断面模式図である。
【図１５】図１５は、前記蓄電素子を備える蓄電装置の斜視図である。
【図１６】図１６は、従来の電池の積層構成を模式的に示す断面図である。
【発明を実施するための形態】
【００１８】
以下、本発明に係る蓄電素子の一実施形態について、図１〜図１２を参照しつつ説明する。蓄電素子には、一次電池、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００１９】
本実施形態の蓄電素子は、非水電解質二次電池である。より詳しくは、蓄電素子は、リチウムイオンの移動に伴って生じる電子移動を利用したリチウムイオン二次電池である。この種の蓄電素子は、電気エネルギーを供給する。蓄電素子は、単一又は複数で使用される。具体的に、蓄電素子は、要求される出力及び要求される電圧が小さいときには、単一で使用される。一方、蓄電素子は、要求される出力及び要求される電圧の少なくとも一方が大きいときには、他の蓄電素子と組み合わされて蓄電装置に用いられる。前記蓄電装置では、該蓄電装置に用いられる蓄電素子が電気エネルギーを供給する。
【００２０】
蓄電素子は、図１〜図５に示すように、長尺状（帯状）の長尺部材２０を有する電極体２を備える。また、蓄電素子１は、電極体２を収容するケース３と、少なくとも一部が外部に露出した状態でケース３に取り付けられる外部端子４と、電極体２と外部端子４とを接続する集電体５と、電極体２とケース３との間に配置される絶縁部材６等も備える。
【００２１】
本実施形態の電極体２は、第一の電極２１と極性の異なる第二の電極２４を有する。また、本実施形態の電極体２では、第一の電極２１は負極であり、第二の電極２４は正極である。尚、各図においては、構造を示すために、電極体２を構成する電極等の厚さを誇張して表す等、電極体２の構成を模式的に表している。
【００２２】
本実施形態の長尺部材２０は、ターン部２３４で折り返した折り返し部２３を有する。具体的に、長尺部材２０は、複数の折り返し部２３を有するつづら折り状態（蛇腹状）に折り畳まれている。換言すると、長尺部材２０は、ターン部２３４を反対に向けた状態で隣り合う折り返し部２３同士がその一部を共通させた状態で連続するつづら折り状態である。
【００２３】
折り返し部２３は、図８に示すように、谷折り面２３１及び山折り面２３２（即ち、谷折り面２３１と反対側の面）をそれぞれ有し且つ谷折り面２３１同士を対向させた一対の延在部２３３と、一対の延在部２３３の端部同士を接続するターン部２３４と、を含む。換言すると、折り返し部２３は、ターン部２３４と、このターン部２３４の端縁から延びる一対の延在部２３３とを有する。尚、折り返し部２３の内側には、正極２４が配置されている。
【００２４】
本実施形態の長尺部材２０では、複数の折り返し部２３が、一対の延在部２３３の延びる方向を揃えた状態で、一対の延在部２３３が並ぶ方向に並んで設けられる。一つの折り返し部（第一折り返し部）２３Ａに着目したときに、第一折り返し部２３Ａと、その隣（図８における後ろ側）の折り返し部（第二折り返し部）２３Ｂとでは、第一折り返し部２３Ａのターン部２３４Ａと、第二折り返し部２３Ｂのターン部２３４Ｂとの間の延在部２３３Ａ、２３３Ｂを共通させている。これにより、第一折り返し部２３Ａと第二折り返し部２３Ｂとは、延在部２３３が延びる方向における反対側に配置されている。
【００２５】
以下では、延在部２３３が並ぶ方向を直交座標系におけるＸ軸方向とし、延在部２３３が延びる方向（図８における左右方向）を直交座標系におけるＹ軸方向（第一方向）とし、ターン部２３４のターン軸Ｓの延びる方向を直交座標系のＺ軸方向とする。
【００２６】
複数のターン部２３４のそれぞれは、Ｚ軸方向に延びるターン軸Ｓ周りでの長尺部材２０が旋回（方向転換）している部位である。換言すると、複数のターン部２３４のそれぞれは、湾曲している部位である。本実施形態のターン部２３４は、長尺部材２０の湾曲の開始位置Ｂより外側の部位である（図１０参照）。
【００２７】
本実施形態の一対の延在部２３３は、略平坦な形状をしている。また、本実施形態の一対の延在部２３３は、折り返し部２３のうちターン部２３４を除く部位、換言すると、長尺部材２０の湾曲の開始位置Ｂより内側の部位である。
【００２８】
本実施形態の長尺部材２０は、負極２１と、負極２１と長尺方向を揃えた状態で負極２１に重ねられた長尺状のセパレータ２２とを有する。また、上述のように、長尺部材２０が、ターン部２３４で折り返した折り返し部２３を有するため、本実施形態の折り返し部２３は、負極２１とセパレータ２２とをターン部２３４で折り返すことで形成されることになる。
【００２９】
負極２１は、図６に示すように、金属箔２１１と、金属箔２１１の両面のそれぞれに重ねられる負極活物質層２１２と、を有する。即ち、負極２１は、一つの金属箔２１１と一対の負極活物質層２１２とを有する。本実施形態の金属箔２１１は、例えば、銅箔である。この負極２１は、長尺状（帯状）である。
【００３０】
負極活物質層２１２は、負極活物質と、バインダーと、を有する。
【００３１】
負極活物質は、例えば、グラファイト、難黒鉛化炭素、及び易黒鉛化炭素などの炭素材、又は、ケイ素（Ｓｉ）及び錫（Ｓｎ）などのリチウムイオンと合金化反応を生じる材料である。本実施形態の負極活物質は、グラファイトである。
【００３２】
負極活物質層２１２に用いられるバインダーは、例えば、ポリフッ化ビニリデン（ＰＶＤＦ）、エチレンとビニルアルコールとの共重合体、ポリメタクリル酸メチル、ポリエチレンオキサイド、ポリプロピレンオキサイド、ポリビニルアルコール、ポリアクリル酸、ポリメタクリル酸、スチレンブタジエンゴム（ＳＢＲ）である。本実施形態のバインダーは、スチレンブタジエンゴムである。
【００３３】
負極活物質層２１２は、ケッチェンブラック（登録商標）、アセチレンブラック、黒鉛等の導電助剤をさらに有してもよい。本実施形態の負極活物質層２１２は、導電助剤を有していない。
【００３４】
負極２１は、例えば、Ｙ軸方向に延びる略平坦な電極延在部２１３と、湾曲した電極ターン部２１４とを有するつづら折り状態に折り畳まれている。電極延在部２１３と電極ターン部２１４とは、交互に連続して形成されている。具体的に、長尺な負極２１は、図６に示す長手方向に所定間隔で交互に設定された山折り線２１Ａの位置と谷折り線２１Ｂの位置とで山折りと谷折りとが交互に繰り返されることによって、つづら折り状態となる。即ち、負極２１は、上述のように、電極延在部２１３と電極ターン部２１４とが交互に連続して形成されるつづら折り状態に折り畳まれる（図１０参照）。
【００３５】
電極ターン部２１４は、負極２１のうちターン部２３４に対応する（ターン部２３４を構成する）部位である。また、電極ターン部２１４は、Ｘ軸方向において隣り合う電極延在部２１３の長尺方向の一端側の端部同士と他端側の端部同士とを交互に接続している。尚、電極ターン部２１４は、負極２１のうち長尺部材２０の湾曲の開始位置Ｂより外側の部位である。
【００３６】
電極延在部２１３は、負極２１のうち延在部２３３に対応する（延在部２３３を構成する）部位である。また、電極延在部２１３は、平行若しくは略平行に並んでいる。また、電極延在部２１３は、概ね、Ｙ軸方向に長い矩形状である。尚、電極延在部２１３は、負極２１のうち長尺部材２０の湾曲の開始位置Ｂより内側の部位（負極２１のうち電極ターン部２１４を除く部位）である。
【００３７】
さらに、電極延在部２１３は、矩形状の電極延在部本体２１５と、電極延在部本体２１５の矩形状の輪郭を構成する一辺から突出する（本実施形態の例では、Ｚ軸方向の端縁からＺ軸方向に延びる）負極タブ２１６と、を有する（図６参照）。電極延在部本体２１５では、金属箔２１１の両面が負極活物質層２１２に覆われ、負極タブ２１６では、金属箔２１１が露出している。即ち、負極タブ２１６は、負極活物質層２１２を有していない。
【００３８】
つづら折り状態の負極２１において、各電極延在部本体２１５の負極タブ２１６は、Ｘ軸方向から見て重なっている。本実施形態の負極２１では、各負極タブ２１６は、電極延在部本体２１５のＺ軸方向の一方（図８における上側）の端縁におけるＹ軸方向の一方（図８における右側）の端部からＺ軸方向に延びている。この複数の電極延在部本体２１５のそれぞれから延びている負極タブ２１６は、束ねられ、集電体５を介して外部端子４と接続されている（図３参照）。本実施形態の負極タブ２１６の束は、集電体５に溶接されている。
【００３９】
セパレータ２２は、負極２１の一方の面に重ねられる長尺状の第一セパレータ２２Ａと、負極２１の他方の面（一方の面と反対側の面）に重ねられる長尺状の第二セパレータ２２Ｂとを有する（図１０参照）。本実施形態のセパレータ２２では、第一セパレータ２２Ａ及び第二セパレータ２２Ｂは、それぞれ、別体として形成されている。また、本実施形態のセパレータ２２では、第一セパレータ２２Ａの構成と、第二セパレータ２２Ｂの構成とは同じである。
【００４０】
第一セパレータ２２Ａは、長尺状（帯状）の部材であり、絶縁性を有する部材である。また、第一セパレータ２２Ａは、基材層２２１と無機酸化物を含有する無機層２２２とを有する。基材層２２１は、多孔質膜（例えば、ポリエチレン、ポリプロピレン等のポリオレフィン、セルロース、ポリアミド等により形成される多孔質膜）である。無機層２２２は、ＳｉＯ２粒子、Ａｌ２Ｏ３粒子、ベーマイト（アルミナ水和物）等の無機酸化物で構成される無機粒子を含んだ無機塗工層である。
【００４１】
第一セパレータ２２Ａは、例えば、Ｙ軸方向に延びる略平坦な平坦部２２３と、湾曲した第一部位２２４及び第二部位２２５とを有するつづら折り状態に折り畳まれている。第一セパレータ２２Ａでは、平坦部２２３と第一部位２２４と平坦部２２３と第二部位２２５とで構成される組が連続して形成されている。
【００４２】
具体的に、長尺な第一セパレータ２２Ａは、図７に示す長手方向に所定間隔で交互に設定された山折り線２２Ｃの位置と谷折り線２２Ｄの位置とで山折りと谷折りとが交互に繰り返されることによって、つづら折り状態となる。
【００４３】
より具体的に、第一セパレータ２２Ａの基材層２２１は、長尺方向に連続している。また、第一セパレータ２２Ａの基材層２２１に対して、上述した無機酸化物で構成される無機粒子を含んだ無機材料を間欠的に塗工することにより、長尺方向において間欠的に隙間をあけた状態で、基材層２２１に無機層２２２が重ねられている。これにより、第一セパレータ２２Ａでは、無機層２２２が重ねられている面から視ると、基材層２２１と無機層２２２とが交互に露出している。
【００４４】
山折り線２２Ｃは、例えば、基材層２２１が露出した部位の長尺方向における中心線であり、谷折り線２２Ｄは、無機層２２２が露出した部位の長尺方向における中心線である。長尺な第一セパレータ２２Ａにおける基材層２２１の露出した部位は、つづら折り状態の第一セパレータ２２Ａの平坦部２２３や第二部位２２５に相当する。長尺な第一セパレータ２２Ａにおける無機層２２２の露出した部位は、つづら折り状態の第一セパレータ２２Ａの第一部位２２４に相当する。
【００４５】
第一セパレータ２２Ａの第一部位２２４は、第一折り返し部２３Ａのターン部２３４Ａに対応する（このターン部２３４Ａを構成する）部位である。また、この第一部位２２４は、第一折り返し部２３Ａの電極ターン部２１４において内側に重ねられている。また、この第一部位２２４は、電極ターン部２１４の内側に重ねられた第一セパレータ２２Ａのうち、長尺部材２０の湾曲の開始位置Ｂより外側の領域である。
【００４６】
また、第一セパレータ２２Ａの第一部位２２４は、基材層２２１及び無機層２２２を有する。具体的に、この第一部位２２４は、電極ターン部２１４の内側に配置された基材層２２１と、この基材層２２１の内側に配置された無機層２２２（正極２４側に配置された無機層２２２）とを有する。この第一部位２２４の基材層２２１は、電極ターン部２１４の内側の全域に重ねられている。また、この第一部位２２４の無機層２２２は、この第一部位２２４の基材層２２１の内側の全域に重ねられている。
【００４７】
第一セパレータ２２Ａの第二部位２２５は、第二折り返し部２３Ｂのターン部２３４Ｂに対応する（このターン部２３４を構成する）部位である。また、この第二部位２２５は、第二折り返し部２３Ｂの電極ターン部２１４において外側に重ねられている。また、この第一セパレータ２２Ａの第二部位２２５は、電極ターン部２１４の外側に重ねられた第一セパレータ２２Ａのうち、長尺部材２０の湾曲の開始位置Ｂより外側の領域である。
【００４８】
また、第一セパレータ２２Ａの第二部位２２５は、基材層２２１及び無機層２２２のうち少なくとも基材層２２１を有する。本実施形態の電極体２では、この第二部位２２５は、基材層２２１のみを有する。換言すると、この第二部位２２５の基材層２２１の外側のいずれの領域にも、無機層２２２は重ねられていない。これにより、この第二部位２２５の基材層２２１は、第二折り返し部２３Ｂのターン部２３４Ｂの外側に向けて露出している（図８、図９、図１０参照）。具体的に、この第二部位２２５の基材層２２１は、電極ターン部２１４の外側の全域に重ねられた状態で、ターン部２３４Ｂの外側に向けて露出している。
【００４９】
第一セパレータ２２Ａの平坦部２２３は、延在部２３３に対応する（延在部２３３を構成する）部位である。また、この平坦部２２３は、平行若しくは略平行に並んでいる。また、この平坦部２２３は、概ね、Ｙ軸方向に長い矩形状である。また、この平坦部２２３の無機層２２２は、正極２４側に配置されている。尚、平坦部２２３は、第一セパレータ２２Ａのうち長尺部材２０の湾曲の開始位置Ｂより内側の部位（第一セパレータ２２Ａのうち第一部位２２４及び第二部位２２５の両方を除く部位）である。
【００５０】
本実施形態の電極体２では、第一セパレータ２２Ａは、電極延在部２１３及び正極２４に挟まれる第三部位２２６を有する。第三部位２２６は、基材層２２１及び無機層２２２の両方を有する。また、第三部位２２６は、平坦部２２３（延在部２３３を構成する部位）の一部である。尚、この第三部位２２６は、第一セパレータ２２Ａのうち、正極２４のＹ軸方向における両端縁よりも内側の領域である。
【００５１】
第一セパレータ２２Ａの第三部位２２６は、第一折り返し部２３Ａに着目すると、電極延在部２１３の内側に重ねられた基材層２２１と、この基材層２２１の内側に重ねられた無機層２２２とを有する。また、第一セパレータ２２Ａの第三部位２２６は、第二折り返し部２３Ｂに着目すると、電極延在部２１３の外側に重ねられた基材層２２１と、この基材層２２１の外側に重ねられた無機層２２２とを有する。
【００５２】
第一セパレータ２２Ａの第三部位２２６の基材層２２１は、第三部位２２６の全域においてＹ軸方向に延びる。また、この第三部位２２６の無機層２２２が、第三部位２２６の全域においてＹ軸方向に延びるため、この第三部位２２６は、無機層２２２が途切れることによる段差を有していない。さらに、この第三部位２２６の基材層２２１の負極２１の厚み方向における厚みは略均一であると共に、この第三部位２２６の無機層２２２の負極２１の厚み方向における厚みも略均一である。そのため、この第三部位２２６の負極２１の厚み方向における厚みは略均一である。尚、この第三部位２２６の負極２１の厚み方向における厚みは略均一であるとは、この第三部位２２６の負極２１の厚み方向における厚みが均一である場合に加えて、この第三部位２２６の負極２１の厚み方向における厚みが製造誤差の範囲内で異なっている場合も含む。
【００５３】
第二セパレータ２２Ｂは、第一セパレータ２２Ａと同様に、長尺状（帯状）の部材であると共に、絶縁性を有する部材であり、基材層２２１及び無機層２２２を有する。また、第二セパレータ２２Ｂは、第一セパレータ２２Ａと同様に、平坦部２２３と第一部位２２４及び第二部位２２５とを有するつづら折り状態に折り畳まれている。第二セパレータ２２Ｂにおいても、平坦部２２３と第一部位２２４と平坦部２２４と第二部位２２４とで構成される組が、連続して形成されている。尚、長尺な第二セパレータ２２Ｂの構成（つづら折りされる前の第二セパレータ２２Ｂの構成）は、図７に示した第一セパレータ２２Ａの構成と同じであるため、この構成についての説明を省略する。
【００５４】
第二セパレータ２２Ｂの第一部位２２４は、第二折り返し部２３Ｂのターン部２３４Ｂに対応する（このターン部２３４Ｂを構成する）部位である。また、この第一部位２２４は、第二折り返し部２３Ｂの電極ターン部２１４において内側に重ねられている。また、この第一部位２２４は、電極ターン部２１４の内側に重ねられた第二セパレータ２２Ｂのうち、長尺部材２０の湾曲の開始位置Ｂより外側の領域である。また、第二セパレータ２２Ｂの第一部位２２４は、第一セパレータ２２Ａの第一部位２２４と同様に、電極ターン部２１４の内側の全域に重ねられた基材層２２１と、この基材層２２１の内側の全域に重ねられた無機層２２２（正極２４側に配置された無機層２２２）とを有する。
【００５５】
第二セパレータ２２Ｂの第二部位２２５は、第一折り返し部２３Ａのターン部２３４Ａに対応する（このターン部２３４Ａを構成する）部位である。また、この第二部位２２５は、第一折り返し部２３Ａの電極ターン部２１４の外側において重ねられている。さらに、この第二部位２２５は、電極ターン部２１４の外側に重ねられた第二セパレータ２２Ｂのうち、長尺部材２０の湾曲の開始位置Ｂより外側の領域である。この第二部位２２５は、基材層２２１のみを有するため、第二折り返し部２３Ｂのターン部２３４Ａの外側に向けて露出している（図８、図９、図１０参照）。具体的に、この第二部位２２５の基材層２２１は、電極ターン部２１４の外側の全域に重ねられた状態で、ターン部２３４Ａの外側に向けて露出している。
【００５６】
第二セパレータ２２Ｂの平坦部２２３は、延在部２３３に対応する（延在部２３３を構成する）部位であり、平行若しくは略平行に並んでいる。この平坦部２２３は、概ね、Ｙ軸方向に長い矩形状である。この平坦部２２３は、基材層２２１及び無機層２２２の両方を有する。また、この平坦部２２３の無機層２２２は、正極２４側に配置されている。尚、この平坦部２２３は、第二セパレータ２２Ｂのうち長尺部材２０の湾曲の開始位置Ｂより内側の部位（第二セパレータ２２Ｂのうち第一部位２２４及び第二部位２２５の両方を除く部位）である。
【００５７】
本実施形態の電極体２では、第二セパレータ２２Ｂは、電極延在部２１３及び正極２４に挟まれた第三部位２２６であって、基材層２２１及び無機層２２２の両方を有する第三部位２２６を有する。第三部位２２６は、平坦部２２３（延在部２３３を構成する部位）の一部である。尚、この第三部位２２６は、第二セパレータ２２Ｂのうち、正極２４のＹ軸方向における両端縁よりも内側の領域である。
【００５８】
第二セパレータ２２Ｂの第三部位２２６は、第一折り返し部２３Ａに着目すると、電極延在部２１３の外側に重ねられた基材層２２１と、この基材層２２１の外側に重ねられた無機層２２２とを有する。また、第二セパレータ２２Ｂの第三部位２２６は、第二折り返し部２３Ｂに着目すると、電極延在部２１３の内側に重ねられた基材層２２１と、この基材層２２１の内側に重ねられた無機層２２２とを有する。
【００５９】
第二セパレータ２２Ｂの第三部位２２６の基材層２２１及び無機層２２２は、第三部位２２６の全域においてＹ軸方向に延び、この第三部位２２６は、無機層２２２が途切れることによる段差を有していない。また、この第三部位２２６の基材層２２１及び無機層２２２の負極２１の厚み方向における厚みは、それぞれ均一であるため、この第三部位２２６の負極２１の厚み方向における厚みは均一である。
【００６０】
以上の構成により、第一セパレータ２２Ａや第二セパレータ２２Ｂは、負極２１と正極２４との間に配置される。これにより、電極体２において、負極２１と正極２４とが互いに絶縁される。
【００６１】
また、第一セパレータ２２Ａ及び第二セパレータ２２Ｂは、いずれも、ケース３内において、電解液を保持する。これにより、蓄電素子１の充放電時において、第一セパレータ２２Ａや第二セパレータ２２Ｂを挟んで対向する負極２１と正極２４との間を、リチウムイオンが移動可能となる。
【００６２】
正極２４は、図１１に示すように、金属箔２４１と、金属箔２４１の両面にそれぞれ重ねられる正極活物質層２４２と、を有する。即ち、正極２４は、一つの金属箔２４１と一対の正極活物質層２４２とを有する。本実施形態の金属箔２４１は、例えば、アルミニウム箔である。この正極２４は、折り返し部２３の外側に配置されている。換言すると、正極２４は、つづら折り状態の長尺部材２０（負極２１及びセパレータ２２）において、Ｘ軸方向に隣り合う延在部２３３間のそれぞれに配置されている。このため、本実施形態の電極体２は、複数の正極２４を有している。具体的に、正極２４のＹ軸方向における端縁のうちターン部２３４に覆われていない端縁は、この正極２４と隣り合う折り返し部２３のターン部２３４のＹ軸方向における端縁よりも、Ｙ軸方向における内側に位置する（図１０参照）。
【００６３】
正極活物質層２４２は、正極活物質と、バインダーと、を有する。
【００６４】
本実施形態の正極活物質は、例えば、リチウム金属酸化物である。具体的に、正極活物質は、例えば、ＬｉａＭｅｂＯｃ（Ｍｅは、１又は２以上の遷移金属を表す）によって表される複合酸化物（ＬｉａＣｏｙＯ２、ＬｉａＮｉｘＯ２、ＬｉａＭｎｚＯ４、ＬｉａＮｉｘＣｏｙＭｎｚＯ２等）、ＬｉａＭｅｂ（ＸＯｃ）ｄ（Ｍｅは、１又は２以上の遷移金属を表し、Ｘは例えばＰ、Ｓｉ、Ｂ、Ｖを表す）によって表されるポリアニオン化合物（ＬｉａＦｅｂＰＯ４、ＬｉａＭｎｂＰＯ４、ＬｉａＭｎｂＳｉＯ４、ＬｉａＣｏｂＰＯ４Ｆ等）である。本実施形態の正極活物質は、ＬｉＮｉ１／３Ｃｏ１／３Ｍｎ１／３Ｏ２である。
【００６５】
正極活物質層２４２に用いられるバインダーは、負極活物質層２１２に用いられたバインダーと同様のものである。本実施形態のバインダーは、ポリフッ化ビニリデンである。
【００６６】
正極活物質層２４２は、ケッチェンブラック（登録商標）、アセチレンブラック、黒鉛等の導電助剤をさらに有してもよい。本実施形態の正極活物質層２４２は、導電助剤としてアセチレンブラックを有する。
【００６７】
具体的に、複数の正極２４のそれぞれは、矩形状の正極本体２４３と、正極本体２４３の矩形状の輪郭を構成する一辺から突出する（本実施形態の例では、Ｚ軸方向の端縁からＺ軸方向に延びる）正極タブ２４４と、を有する。本実施形態の正極本体２４３は、Ｙ軸方向に長い矩形状である。正極本体２４３では、金属箔２４１の両面が正極タブ２４４側の端部を残して正極活物質層２４２に覆われ、正極タブ２４４では、金属箔２４１が露出している。即ち、正極タブ２４４は、正極活物質層２４２を有しない。
【００６８】
正極本体２４３における正極活物質層２４２は、Ｘ軸方向に対向する（詳しくは、セパレータ２２を介して対向する）延在部２３３の負極活物質層２１２よりＹ−Ｚ面（Ｙ軸とＺ軸とを含む平面）方向において小さい。即ち、正極本体２４３の正極活物質層２４２は、全域において延在部２３３の負極活物質層２１２と対向し、延在部２３３の負極活物質層２１２は、周縁部を除いた領域において正極本体２４３の正極活物質層２４２と対向する。
【００６９】
本実施形態の電極体２において、各正極２４の正極タブ２４４は、Ｘ軸方向から見て重なっている。本実施形態の正極２４では、各正極タブ２４４は、正極本体２４３のＺ軸方向の一方（図５における上側）の端縁におけるＹ軸方向の他方（電極延在部本体２１５に対する負極タブ２１６の位置とは反対側：図５における左側）の端部からＺ軸方向に延びている。この複数の正極本体２４３のそれぞれから延びている正極タブ２４４は、束ねられ、集電体５を介して外部端子４と接続されている。本実施形態の正極タブ２４４の束は、負極タブ２３３２の束と同様に、集電体５に溶接されている（図３参照）。
【００７０】
図１〜図３に戻り、ケース３は、開口を有するケース本体３１と、ケース本体３１の開口を塞ぐ（閉じる）蓋板３２と、を有する。このケース３では、ケース本体３１と蓋板３２とによって内部空間が画定される。ケース３は、この内部空間に、電極体２と共に電解液を収容する。
【００７１】
この電解液は、非水溶液系電解液である。詳しくは、電解液は、有機溶媒に電解質塩を溶解させることによって得られる。有機溶媒は、例えば、プロピレンカーボネート及びエチレンカーボネートなどの環状炭酸エステル類、ジメチルカーボネート、ジエチルカーボネート、及びエチルメチルカーボネートなどの鎖状カーボネート類である。電解質塩は、ＬｉＣｌＯ４、ＬｉＢＦ４、及びＬｉＰＦ６等である。本実施形態の電解液は、エチレンカーボネート、ジメチルカーボネート、及びエチルメチルカーボネートを、エチレンカーボネート：ジメチルカーボネート：エチルメチルカーボネート＝３：２：５の割合で調整した混合溶媒に、１ｍｏｌ／ＬのＬｉＰＦ６を溶解させたものである。
【００７２】
ケース３は、上記の電解液に耐性を有する金属によって形成される。本実施形態のケース３は、例えば、アルミニウム、又は、アルミニウム合金等のアルミニウム系金属材料によって形成される。
【００７３】
ケース本体３１は、板状の閉塞部３１１と、閉塞部３１１の周縁に接続される筒状の胴部（周壁）３１２と、を備える。
【００７４】
閉塞部３１１は、ケース本体３１が開口を上に向けた姿勢で配置されたときにケース本体３１の下端に位置する（即ち、前記開口が上を向いたときのケース本体３１の底壁部となる）部位である。本実施形態の閉塞部３１１は、矩形状である。
【００７５】
胴部３１２は、角筒形状、より詳しくは、偏平な角筒形状を有する。胴部３１２は、閉塞部３１１の周縁における長辺から延びる一対の長壁部３１３と、閉塞部３１１の周縁における短辺から延びる一対の短壁部３１４とを有する。短壁部３１４が一対の長壁部３１３の対応（詳しくは、Ｘ軸方向に対向）する端部同士をそれぞれ接続することによって、角筒状の胴部３１２が形成される。
【００７６】
以上のように、ケース本体３１は、開口方向（Ｚ軸方向）における一方の端部が塞がれた角筒形状（即ち、有底角筒形状）を有する。このケース本体３１には、折り返し部２３の延在部２３３が長壁部３１３と平行（略平行）となる（即ち、各ターン部２３４が短壁部３１４と対向する）ように、電極体２が収容される（図４参照）。
【００７７】
蓋板３２は、ケース本体３１の開口を塞ぐ部材である。この蓋板３２の輪郭形状は、ケース本体３１の開口周縁部３１０（図２参照）に対応した形状である。即ち、蓋板３２は、Ｙ軸方向に長い矩形状の板材である。
【００７８】
外部端子４は、他の蓄電素子の外部端子又は外部機器等と電気的に接続される部位である。このため、外部端子４は、導電性を有する部材によって形成される。また、外部端子４は、溶接性の高い金属材料によって形成される。例えば、正極の外部端子４は、アルミニウム又はアルミニウム合金等のアルミニウム系金属材料によって形成され、負極の外部端子４は、銅又は銅合金等の銅系金属材料によって形成される。本実施形態の外部端子４は、少なくとも一部がケース３の外部に露出した状態で蓋板３２に取り付けられる。
【００７９】
絶縁部材６は、絶縁性を有する樹脂によって形成されている。具体的に、絶縁部材６は、所定の形状に裁断された絶縁性を有するシート状の部材を折り曲げることによって蓋板３２側が開口した袋状に形成されている（図２参照）。本実施形態の絶縁部材６は、ケース本体３１に沿った形の袋状である。この袋状の絶縁部材６には、折り返し部２３の延在部２３３及び正極２４が絶縁部材６における長壁部３１３と対応する部位（Ｘ軸方向に対向する壁状の部位）と略平行となり、各ターン部２３４が絶縁部材６における短壁部３１４と対応する部位（Ｙ軸方向に対向する壁状の部位）と対向するように、電極体２が収容される。
【００８０】
以上の蓄電素子１によれば、第二部位２２５では、無機層２２２がなく、基材層２２１がターン部２３４の外側に向けて露出しているため、ターン部２３４の外側において無機層２２２の剥がれを抑えることができる。本実施形態の電極体２では、ターン部２３４の全域において無機層２２２が存在しないため、ターン部２３４の外側において無機層２２２が剥がれにくい。
【００８１】
ところで、第三部位２５５（第一折り返し部２３Ａの電極延在部２１３と第一折り返し部２３Ａの外側に配置される正極２４（第二折り返し部２３Ｂの内側に配置される正極２４）との間に挟まれる第三部位２５５、及び、第二折り返し部２３Ｂの電極延在部２１３と第二折り返し部２３Ｂの外側に配置される正極２４（第一折り返し部２３Ａの内側に配置される正極２４）との間に挟まれる第三部位２５５）において、無機層２２２が途切れることによる段差が存在すると仮定すると、このような段差に圧力が集中するおそれがある。これに対して、本実施形態の電極体２では、無機層２２２が第三部位２２６の全域に存在することにより、第三部位２２６に無機層２２２の段差（無機層２２２が途切れることによる段差）が存在しない。そのため、蓄電素子１に圧力がかかったとしても、正極２４にかかる圧力がＹ軸方向の全域において均一になる。
【００８２】
さらに、正極２４がオレフィン等で形成される基材層２２１と対向すると、基材層２２１が酸化されるおそれがある。これに対して、本実施形態の電極体２では、平坦部２２３及び第一部位２２４の全域（折り返し部２３の内側の全域）において、正極２４側（正極２４と基材層２２１との間）に無機層２２２が配置されている。換言すると、平坦部２２３及び第一部位２２４の全域（折り返し部２３の内側の全域）において、基材層２２１と正極２４とは対向していない。そのため、正極２４と基材層２２１とが対向することに起因する基材層２２１の酸化を防止できる。
【００８３】
また、第一部位２２４の正極２４側に無機層２２２が配置されている蓄電素子１（第一部位２２４の内側において無機層２２２が露出している蓄電素子１）では、負極２１の厚み方向（Ｘ軸方向）において蓄電素子１に圧力がかかると、第一部位２２４の内側において無機層２２２が剥がれ落ちて正極２４と第三部位の無機層２２２との隙間に入り込み、この入り込んだ無機層２２２の破片が、Ｙ軸方向における移動を経て、電極体２の外部に移動するおそれがあった。これに対して、本実施形態の蓄電素子１では、上述のように、正極２４にかかる圧力はＹ軸方向の全域において均一になるため、第一部位２２４の内側において無機層２２２が剥がれた場合であっても、第三部位２２６と正極２４との間に隙間が生じにくく、この無機層２２２の破片が電極体２の外部に移動することを抑制できる。
【００８４】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００８５】
上記実施形態の電極体２では、第二部位２２５の基材層２２１（ターン部２３４を構成する基材層２２１）の外側のいずれの領域にも無機層２２２が重ねられていなかったが、第二部位２２５の基材層２２１（ターン部２３４を構成する基材層２２１）の外側の少なくとも一部の領域に無機層２２２が重ねられていてもよい。また、上記実施形態の電極体２では、第二部位２２５の基材層２２１（ターン部２３４を構成する基材層２２１）が負極２１の外側に重ねられていたが、第二部位２２５の無機層２２２が負極２１の外側に重ねられると共に、この第二部位２２５の無機層２２２の外側に第二部位２２５の基材層２２１が配置されていてもよい。換言すると、基材層２２１と負極２１との間に無機層２２２が配置されていてもよい。さらに、このような場合においても、ターン部２３４を構成する基材層２２１の外側の少なくとも一部の領域に無機層２２２が重ねられていてもよい。このような場合であっても、第二部位２２５の少なくとも一部には無機層２２２がないことにより、第二部位２２５の基材層２２１がターン部２３４の外側に向けて露出しているため、ターン部２３４の外側において無機層２２２が剥がれることを抑制できる。
【００８６】
上記実施形態の長尺部材２０は負極２１とセパレータ２２とを有していたが、長尺部材２０はセパレータ２２のみを有していてもよく、折り返し部２３はセパレータ２２のみをターン部２３４で折り返して形成されてもよい。
【００８７】
この場合、電極体２は、図１２及び図１３に示すように、長尺状のセパレータ２２（セパレータ２２のみで構成される長尺部材２０）をターン部２３４で折り返した折り返し部２３を有してもよい。この場合、電極体２は、第一折り返し部２３Ａの内側に配置される負極２１（第二折り返し部２３Ｂの内側に配置される負極２１）と、第二折り返し部２３Ｂの内側に配置される正極２４（第一折り返し部２３Ａの外側に配置される正極２４）とを有してもよい。この場合においても、セパレータ２２は、基材層２２１と無機層２２２とを有し、ターン部２３４では、基材層２２１がターン部２３４の外側に向けて露出していればよい。
【００８８】
この構成においても、ターン部２３４の外側には無機層がなく、基材層２２１がターン部２３４の外側に向けて露出しているため、ターン部２３４の外側において無機層２２２の剥がれを抑えることができる。
【００８９】
また、この場合、基材層２２１及び無機層２２２が、セパレータ２２の延在部２３３の全域において延びていてもよい。仮に、延在部２３３に無機層２２２の段差が存在すると、Ｘ軸方向において蓄電素子１に圧力がかかった場合に、この段差に圧力が集中するおそれがあった。これに対して、折り返し部２３は、ターン部２３４の端縁からＹ軸方向にそれぞれ延びる一対の延在部２３３を有すると共に、該一対の延在部２３３の延びる方向を揃えた状態でＸ軸方向に複数並んで設けられていてもよい。この場合、基材層２２１の延在部２３３を構成する部位は、該延在部２３３の全域においてＹ軸方向に延びていてもよい。また、無機層２２２の延在部２３３を構成する部位は、該延在部２３３の全域においてＹ軸方向に延びていてもよい。この構成では、無機層２２２が延在部２３３の全域に存在することにより、延在部２３３に無機層２２２の段差が存在しないため、蓄電素子１に圧力がかかっても、圧力が集中することがなく、正極２４にかかる圧力はＹ軸方向の全域において均一になる。
【００９０】
さらに、上述のように、ターン部２３４の内側で無機層２２２が露出している蓄電素子１では、Ｘ軸方向において蓄電素子１に圧力がかかると、ターン部２３４の内側において無機層２２２が剥がれ落ちて、この剥がれ落ちた無機層２２２が電極体２の外部に移動するおそれがあった。これに対して、この構成では、無機層２２２が延在部２３３の全域に存在することにより、延在部２３３に無機層２２２の段差が存在しないことで、正極２４にかかる圧力はＹ軸方向の全域において均一になるため、ターン部２３４の内側において無機層２２２が剥がれた場合であっても、延在部２３３と正極２４との間に隙間が生じにくく、この剥がれた無機層２２２が電極体２の外部に移動することを抑制できる。
【００９１】
この構成では、セパレータ２２の延在部２３３が、基材層２２１の内側及び外側に無機層２２２が重ねられた三層構造であり、セパレータ２２のターン部２３４は、基材層２２１の内側のみに無機層２２２が重ねられた二層構造である（図１３参照）。しかしながら、セパレータ２２の延在部２３３やターン部２３４は、別の構成であってもよい。
【００９２】
例えば、セパレータ２２のターン部２３４は、基材層２２１の内側の全域及び外側の一部に無機層２２２が重ねられた三層構造であってもよい。この構成であっても、ターン部２３４の少なくとも一部には無機層２２２がないことにより、基材層２２１がターン部２３４の外側に向けて露出しているため、ターン部２３４の外側において無機層２２２の剥がれを抑えることができる。
【００９３】
また、例えば、正極２４を挟むセパレータ２２の延在部２３３が、基材層２２１の内側（基材層２２１の正極２４側）に無機層２２２が重ねられた二層構造であると共に、負極２１を挟むセパレータ２２の延在部２３３が、基材層２２１の外側（基材層２２１の負極２１と反対側）に無機層２２２が重ねられた二層構造であってもよい。この構成では、負極２１を挟むセパレータ２２の延在部２３３が二層構造であるため、三層構造である場合と比べて、電極体２の薄型化を図れる。
【００９４】
上記実施形態の電極体２では、第一セパレータ２２Ａ及び第二セパレータ２２Ｂは、それぞれ別体として形成されていたが、これらが一体として形成されていてもよい。具体的に、長尺部材２０は、長尺状のセパレータ２２を長尺方向の中心位置で折り曲げたものと、セパレータ２２の折り曲げ部に端縁が当たった状態でセパレータ２２の内側に配置された負極２１とを有してもよい。この場合、セパレータ２２は、負極２１の一方の面を覆うと共に、負極２１の端縁を覆うように延び、且つ、負極２１の他方の面を覆ってもよい。また、長尺部材２０は、袋状のセパレータ２２と、セパレータ２２に収容される負極２１とを有してもよい。
【００９５】
さらに、上記実施形態の電極体２では、長尺状の第二セパレータ２２Ｂの構成は、長尺状の第一セパレータ２２Ａの構成と同じであったが、これらの構成は異なっていてもよい。これらの構成を異ならせることで、例えば、第一セパレータ２２Ａと第二セパレータ２２Ｂとで、第一部位２２４、第二部位２２５、及び、第三部位２２６等の構成を異ならせることができる。
【００９６】
上記実施形態の電極体２では、第一セパレータ２２Ａの基材層２２１に対して、無機材料を間欠的に塗工していたが、この代わりに、第一セパレータ２２Ａの基材層２２１の全域に対して無機材料を塗工した後に、無機塗工層を間欠的に取り除いてもよい。この場合においても、第一セパレータ２２Ａの基材層２２１に対して、長尺方向において間欠的に隙間をあけた状態で、無機層２２２を重ねることができる。
【００９７】
また、上記実施形態の電極体２では、正極２４のＹ軸方向における端縁のうちターン部２３４に覆われていない端縁は、この正極２４と隣り合う折り返し部２３のターン部２３４のＹ軸方向における端縁と比較して、Ｙ軸方向における内側に位置していたが、Ｙ軸方向における外側に位置していてもよい。さらに、正極２４のＹ軸方向における端縁のうちターン部２３４に覆われていない端縁の位置は、この正極２４と隣り合う折り返し部２３のターン部２３４のＹ軸方向における端縁の位置と、Ｙ軸方向において揃っていてもよい。
【００９８】
上記実施形態の蓄電素子１では、負極２１及びセパレータ２２を有する長尺部材２０がつづら折り状態で、正極２４が枚葉状（短冊状）であるが、この構成に限定されない。正極２４及びセパレータ２２を有する長尺部材２０がつづら折り状態で、負極２１が枚葉状であってもよい。また、セパレータ２２を有する長尺部材２０や負極２１とセパレータ２２とを有する長尺部材２０は、つづら折り状態でなくてもよく、少なくとも一つの折り返し部２３を有していればよい。具体的に、図１４に示すように、負極２１及びセパレータ２２を有する長尺部材２０が互いに離間した複数の折り返し部２３を有し、各折り返し部２３の外側及び各折り返し部２３の内側に正極２４を配置してもよい。この場合、ターン部２３４の外側には無機層がなくてもよく、基材層２２１がターン部２３４の外側に向けて露出していてもよい。これにより、ターン部２３４の外側において無機層２２２が剥がれることを防止できる。
【００９９】
また、この構成では、ターン部２３４がＹ軸方向における反対側に並ぶよう、折り返し部２３が配置されているが、ターン部２３４がＹ軸方向における同じ側に並ぶよう、折り返し部２３が配置されていてもよい。
【０１００】
さらに、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【０１０１】
蓄電素子（例えば電池）１は、図１５に示すような蓄電装置（蓄電素子が電池の場合は電池モジュール）１１に用いられてもよい。蓄電装置１１は、少なくとも二つの蓄電素子１と、二つの（異なる）蓄電素子１同士を電気的に接続するバスバ部材１２と、を有する。この場合、本発明の技術が少なくとも一つの蓄電素子１に適用されていればよい。
【符号の説明】
【０１０２】
１…蓄電素子、２…電極体、２０…長尺部材、２１…負極、第一の電極、２１Ａ、２２Ｃ…山折り線、２１Ｂ、２２Ｄ…谷折り線、２１１…金属箔、２１２…負極活物質層、２１３…電極延在部、２１４…電極ターン部、２１５…電極延在部本体、２１６…負極タブ、２２…セパレータ、２２Ａ…第一セパレータ、２２Ｂ…第二セパレータ、２２１…基材層、２２２…無機層、２２３…平坦部、２２４…第一部位、２２５…第二部位、２２６…第三部位、２３…折り返し部、２３Ａ…第一折り返し部、２３Ｂ…第二折り返し部、２３１…谷折り面、２３２…山折り面、２３３、２３３Ａ、２３３Ｂ…延在部、２３４…ターン部、Ｓ…ターン軸、２４…正極、第二の電極、３…ケース、３１…ケース本体、３１０…開口周縁部、３１１…閉塞部、３１２…胴部、３１３…長壁部、３１４…短壁部、３２…蓋板、４…外部端子、５…集電体、６…絶縁部材、１１…蓄電装置、１２…バスバ部材、１０２…電極体、１２１…負極・セパレータ圧着体、１２２…正極、１２３…セパレータ、１２４…負極体、Ｂ…湾曲の開始位置
【図１】
2019117703.tif 000003
【図２】
2019117703.tif 000004
【図３】
2019117703.tif 000005
【図４】
2019117703.tif 000006
【図５】
2019117703.tif 000007
【図６】
2019117703.tif 000008
【図７】
2019117703.tif 000009
【図８】
2019117703.tif 000010
【図９】
2019117703.tif 000011
【図１０】
2019117703.tif 000012
【図１１】
2019117703.tif 000013
【図１２】
2019117703.tif 000014
【図１３】
2019117703.tif 000015
【図１４】
2019117703.tif 000016
【図１５】
2019117703.tif 000017
【図１６】
2019117703.tif 000018